【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
ユーザの携帯端末にチャージされた特定の種類の電子マネー情報である特定電子マネー情報を用いて遊技を可能にするための電子マネー遊技使用サービスを提供する電子マネーシステムであって、
特定電子マネー情報に関するサービスを提供するサービス提供用サーバに対し、ユーザが自己の前記携帯端末を使用して前記電子マネー遊技使用サービスを享受できるようにするための登録を要求する前記携帯端末からの登録要求情報に応じて、前記電子マネー遊技使用サービスを実行するための前記携帯端末側の処理手順を示す特定プログラムを前記携帯端末に送信するために出力する特定プログラム出力手段と、
前記サービス提供用サーバに設けられ、前記携帯端末が特定電子マネー情報のチャージを要求する情報であって、前記特定プログラムが実行されることによって前記携帯端末から送信されてきたチャージ要求情報を受信したことを条件として、金融機関側サーバに対して行なわれた前記特定電子マネー情報のチャージに関する対価の決済の要求に基づく該決済の終了に応じて、前記特定電子マネー情報を前記携帯端末に送信するために出力する電子マネー出力手段と、
前記携帯端末と通信し、該携帯端末によって前記特定プログラムが実行されることによって前記携帯端末に格納された特定電子マネー情報を用いて遊技を可能にするための電子マネー遊技使用装置に設けられ、前記特定電子マネー情報を引落対象として指定する情報と、遊技を可能にするために使用する特定電子マネー情報の引落しを要求する情報とを含む引落要求情報を前記携帯端末に送信するために出力する引落要求情報出力手段と、
前記電子マネー遊技使用装置に設けられ、前記携帯端末に格納されている前記特定電子マネー情報から前記引落要求情報により要求された額が減算された旨を示す前記携帯端末から送信されてきた減算終了情報に応じて、前記特定電子マネー情報を用いた遊技を可能にするための遊技可能化処理を行なう遊技可能化処理手段とを備えていることを特徴とする、電子マネーシステム。
【請求項２】
携帯端末と通信し、該携帯端末に格納された特定の種類の電子マネー情報である特定電子マネー情報を用いて遊技を可能にするための電子マネー遊技使用装置であって、
前記特定電子マネー情報を引落対象として指定する情報と、遊技を可能にするために使用する特定電子マネー情報の引落しを要求する情報とを含む引落要求情報を前記携帯端末に送信するために出力する引落要求情報出力手段と、
前記携帯端末に格納されている前記特定電子マネー情報から前記引落要求情報により要求された額が減算された旨を示す前記携帯端末から送信されてきた減算終了情報に応じて、前記特定電子マネー情報を用いた遊技を可能にするための遊技可能化処理を行なう遊技可能化処理手段とを備えていることを特徴とする、電子マネー遊技使用装置。
【請求項３】
前記遊技可能化処理手段は、前記遊技可能化処理を実行する条件が成立したことにより、予め定められた一単位額相当の特定電子マネー情報を用いた遊技を可能とするための遊技可能化処理を行ない、
前記引落要求情報出力手段は、前記一単位額相当以上の所定額相当の特定電子マネー情報の引落しを要求する情報を含む前記引落要求情報を送信するために出力する所定額引落要求情報出力手段を含み、
前記電子マネー遊技使用装置に設けられ、前記遊技可能化処理手段によって前記減算された額の特定電子マネー情報のすべてが遊技に用いられたか否かを判定する遊技使用判定手段をさらに備え、
前記引落要求情報出力手段は、前記遊技使用判定手段によって未だすべてが遊技に用いられていないと判定された場合、前記引落要求情報を出力しないことを特徴とする、請求項１に記載の電子マネーシステム、または、請求項２に記載の電子マネー遊技使用装置。
【請求項４】
前記電子マネー遊技使用装置に設けられ、遊技を終了するための遊技終了操作の入力を受付ける遊技終了操作受付手段と、
前記電子マネー遊技使用装置に設けられ、前記遊技使用判定手段によって未だすべてが遊技に用いられていないと判定されたことを条件として、該遊技終了操作受付手段によって前記遊技終了操作の入力が受付けられたときに、遊技に用いられていない特定電子マネー情報を前記携帯端末に送信するために出力する未使用電子マネー出力手段とをさらに備えることを特徴とする、請求項３に記載の電子マネーシステム、または、電子マネー遊技使用装置。
【請求項５】
前記電子マネー遊技使用装置に設けられ、前記特定電子マネー情報が減算された携帯端末を識別するための携帯端末識別情報を記憶する減算電子マネー記憶手段をさらに備え、
前記未使用電子マネー出力手段は、
携帯端末を識別するための携帯端末識別情報の送信を要求する携帯端末識別情報送信要求情報を該携帯端末に送信するために出力する携帯端末識別情報送信要求情報出力手段を含み、
前記携帯端末から送信されてきた携帯端末識別情報と、前記減算電子マネー記憶手段に記憶されている携帯端末識別情報とが一致する場合、前記携帯端末に、前記遊技に用いられていない特定電子マネー情報を送信するために出力することを特徴とする、請求項４に記載の電子マネーシステム、または、電子マネー遊技使用装置。
【請求項６】
前記電子マネー遊技使用装置に設けられ、前記特定電子マネー情報が減算された携帯端末を識別するための携帯端末識別情報を記憶する減算電子マネー記憶手段をさらに備え、
前記未使用電子マネー出力手段は、
前記減算電子マネー記憶手段に記憶された携帯端末識別情報を含み携帯端末に携帯端末識別情報が一致するか否かの照合を要求するための照合要求情報を、携帯端末に送信するために出力する携帯端末識別情報出力手段を含み、
該携帯端末識別情報出力手段によって送信された携帯端末識別情報と、前記携帯端末を識別するための携帯端末識別情報とが一致する旨の携帯端末一致情報が、前記照合要求情報に応じて送信されてきた場合、前記携帯端末に、前記遊技に用いられていない特定電子マネー情報を送信するために出力することを特徴とする、請求項４に記載の電子マネーシステム、または、電子マネー遊技使用装置。
【請求項７】
前記未使用電子マネー出力手段は、
前記減算終了情報を送信した電子マネー遊技使用装置を識別するための装置識別情報の送信を要求する装置識別情報送信要求情報を、携帯端末に送信するために出力する装置識別情報送信要求情報出力手段を含み、
当該未使用電子マネー出力手段が設けられている電子マネー遊技使用装置を識別するための装置識別情報と、前記携帯端末から送信されてきた装置識別情報とが一致する場合、前記携帯端末に、前記遊技に用いられていない特定電子マネー情報を送信するために出力することを特徴とする、請求項４に記載の電子マネーシステム、または、電子マネー遊技使用装置。
【請求項８】
前記未使用電子マネー出力手段は、
当該未使用電子マネー出力手段が設けられている電子マネー遊技使用装置を識別するための装置識別情報を含み携帯端末に装置識別情報が一致するか否かの照合を要求するための照合要求情報を、携帯端末に送信するために出力する装置識別情報出力手段を含み、
該装置識別情報出力手段によって送信された装置識別情報と、前記携帯端末が前記減算終了情報を送信した電子マネー遊技使用装置を識別するための装置識別情報とが一致する旨の装置一致情報が、前記照合要求情報に応じて送信されてきた場合、前記携帯端末に、前記遊技に用いられていない特定電子マネー情報を送信するために出力することを特徴とする、請求項４に記載の電子マネーシステム、または、電子マネー遊技使用装置。
【請求項９】
前記電子マネー遊技使用装置に設けられ、遊技を終了するための遊技終了操作の入力を受付ける遊技終了操作受付手段と、
前記電子マネー遊技使用装置に設けられ、該遊技終了操作受付手段によって前記遊技終了操作の入力が受付けられたときに、前記遊技使用判定手段によって未だすべてが遊技に用いられていないと判定された場合、遊技に用いられていない特定電子マネー情報を所定の遊技用記録媒体に記録し、該記録された遊技用記録媒体を発行する未使用電子マネー記録手段とをさらに備えることを特徴とする、請求項３に記載の電子マネーシステム、または、電子マネー遊技使用装置。
【請求項１０】
前記遊技可能化処理手段は、前記遊技可能化処理を実行する条件が成立したことにより、予め定められた一単位額相当の特定電子マネー情報を用いた遊技を可能とするための遊技可能化処理を行ない、
前記引落要求情報出力手段は、前記一単位額相当の特定電子マネー情報の引落しを要求する情報を含む前記引落要求情報を送信するために出力する一単位引落要求情報出力手段を含み、
前記電子マネー遊技使用装置に設けられ、前記遊技可能化処理手段によって前記遊技可能化処理が行なわれているか否かを判定する遊技可能化処理判定手段をさらに含み、
前記引落要求情報出力手段は、前記遊技可能化処理判定手段によって前記遊技可能化処理が行なわれていると判定された場合、前記引落要求情報を出力しないことを特徴とする、請求項１に記載の電子マネーシステム、または、請求項２に記載の電子マネー遊技使用装置。
【手続補正２】
【補正対象書類名】明細書
【補正対象項目名】０００８
【補正方法】変更
【補正の内容】
【０００８】
（１）  ユーザの携帯端末（たとえば、携帯電話１００）にチャージされた特定の種類の電子マネー情報である特定電子マネー情報（たとえば、バリュー）を用いて遊技（たとえば、パチンコ遊技）を可能にするための電子マネー遊技使用サービスを提供する電子マネーシステム（たとえば、電子マネーシステム１０）であって、
特定電子マネー情報に関するサービスを提供するサービス提供用サーバ（たとえば、電子マネー管理サーバ２００、決済サーバ２８０、リモート発行サーバ４００）に対し、ユーザが自己の前記携帯端末を使用して前記電子マネー遊技使用サービスを享受できるようにするための登録を要求する前記携帯端末からの登録要求情報（たとえば、空メール、携帯端末情報）に応じて、前記電子マネー遊技使用サービスを実行するための前記携帯端末側の処理手順を示す特定プログラム（たとえば、電子マネーアプリ１１１）を前記携帯端末に送信するために出力する特定プログラム出力手段（たとえば、利用者登録ＡＰ２１１、Ｓ２１１〜Ｓ２２８）と、
前記サービス提供用サーバに設けられ、前記携帯端末が特定電子マネー情報のチャージを要求する情報であって、前記特定プログラムが実行されることによって前記携帯端末から送信されてきたチャージ要求情報（たとえば、購入要求情報）を受信したことを条件として、金融機関側サーバ（たとえば、金融機関サーバ５００）に対して行なわれた前記特定電子マネー情報のチャージに関する対価の決済の要求に基づく該決済の終了に応じて、前記特定電子マネー情報を前記携帯端末に送信するために出力する電子マネー出力手段（たとえば、請求情報作成ＡＰ２１２、Ｓ２４０〜Ｓ２５０、決済サーバ２８０、ＩＣチップ書込ＡＰ２１３、Ｓ２５１〜Ｓ２５４，Ｓ２５１Ａ，Ｓ２５４Ａ、リモート発行サーバ４００）と、
前記携帯端末と通信し、該携帯端末によって前記特定プログラムが実行されることによって前記携帯端末に格納された特定電子マネー情報を用いて遊技を可能にするための電子マネー遊技使用装置（たとえば、券売機３００、カードユニット６００，６００Ａ）に設けられ、前記特定電子マネー情報を引落対象として指定する情報と、遊技を可能にするために使用する特定電子マネー情報の引落しを要求する情報とを含む引落要求情報（たとえば、引落要求信号）を前記携帯端末に送信するために出力する引落要求情報出力手段（たとえば、チップリーダライタ３９０、制御部３９１、非接触通信部３９３、チップリーダライタ６９０、制御部６９１、非接触通信部６９３）と、
前記電子マネー遊技使用装置に設けられ、前記携帯端末に格納されている前記特定電子マネー情報から前記引落要求情報により要求された額が減算された旨を示す前記携帯端末から送信されてきた減算終了情報（たとえば、減算終了信号）に応じて、前記特定電子マネー情報を用いた遊技を可能にするための遊技可能化処理を行なう遊技可能化処理手段（たとえば、券売機３００、Ｓ３５５，Ｓ３６２、カードユニット６００Ａ、Ｓ６２７，Ｓ６２８、Ｓ６２７Ａ，Ｓ６１８）とを備えている。
【手続補正３】
【補正対象書類名】明細書
【補正対象項目名】０００９
【補正方法】変更
【補正の内容】
【０００９】
このような構成によれば、サービス提供用サーバによって、携帯端末からの登録要求情報に応じて、特定プログラムが携帯端末に送信され、サービス提供用サーバによって、チャージ要求情報が受信されたことを条件として、金融機関側サーバに対して行なわれた特定電子マネー情報のチャージに関する対価の決済の要求に基づく決済の終了に応じて、特定電子マネー情報が携帯端末に送信される。
【手続補正４】
【補正対象書類名】明細書
【補正対象項目名】００２６
【補正方法】変更
【補正の内容】
【００２６】
（６）  前記電子マネー遊技使用装置に設けられ、前記特定電子マネー情報が減算された携帯端末を識別するための携帯端末識別情報を記憶する減算電子マネー記憶手段をさら
に備え、
前記未使用電子マネー出力手段は、
前記減算電子マネー記憶手段に記憶された携帯端末識別情報を含み携帯端末に携帯端末識別情報が一致するか否かの照合を要求するための照合要求情報を、携帯端末に送信するために出力する携帯端末識別情報出力手段を含み、
該携帯端末識別情報出力手段によって送信された携帯端末識別情報と、前記携帯端末を識別するための携帯端末識別情報とが一致する旨の携帯端末一致情報が、前記照合要求情報に応じて送信されてきた場合、前記携帯端末に、前記遊技に用いられていない特定電子マネー情報を送信するために出力する。